(57)【要約】  【課題】  バッキングロールに支持されて連続的に走行するウェブの表面に対し、塗工液をスリット状ノズルから吹き出し塗工液ジェットを形成して供給するブレード塗工方式にて塗工する際に、高速操業時においても塗工欠陥や品質の低下を起こすことのない塗工装置を提供する。  【解決手段】バッキングロール３１に支持されて連続的に走行するウェブ３３の表面に対し、塗工液をスリット状ノズル１１ａから吹き出し塗工液ジェットを形成して供給するブレード塗工方式において、スリット状ノズル先端から走行しているウェブへの塗工液衝突点Ｃまでの距離ｄが５〜７００ｍｍであり、かつ塗工液がウェブに衝突する地点よりもウェブの上流側５〜１００ｍｍにおいてウェブに接触する同伴空気除去手段２１を有するのでウェブに同伴する同伴空気を除去するので塗工欠陥や品質の低下を起こすことがなくなる。【選択図】  図１
2007014850.tif 000002
【特許請求の範囲】
【請求項１】
バッキングロールに支持されて連続的に走行するウェブの表面に対し、塗工液を塗布する塗工装置であって、
スリット状のノズル開口部を有し、該ノズル開口部から塗工液を吹き出し、塗工液ジェットを形成する塗工液供給部であって、該ノズル開口部から走行しているウェブへの塗工液衝突点までの距離が５〜７００ｍｍの範囲になるように配置される塗工液供給部と、
該ウェブへの塗工液衝突点よりもウェブの上流側５〜１００ｍｍの範囲でその先端部がウェブに接触して配置される先端部を有する同伴空気除去手段と、
該ウェブへの塗工液衝突点よりもウェブの下流側に配置され、塗工された塗工液を掻きとる計量部と、
を有する塗工装置。
【請求項２】
前記同伴空気除去手段の先端部がブレード、回転ロッド、静止ロッドの中から選択される少なくともひとつである請求項１記載の塗工装置。
【請求項３】
前記同伴空気除去手段の先端部がブレードであって、該ブレードの少なくとも前記ウェブへの塗工液衝突点側に面する面が、撥水加工された面である請求項１または請求項２記載の塗工装置。
【請求項４】
鉛直下方と前記ブレードが形成する角度が５〜８５度である請求項３記載の塗工装置。
【請求項５】
前記同伴空気除去手段下流において同伴空気の再発達の起源となる同伴空気除去手段側の同伴空気起源空気流を阻害するための第１の流入空気阻害手段を、同伴空気除去手段の下流側面に少なくとも一つ配置する請求項１から４のいずれか１項に記載の塗工装置。
【請求項６】
前記同伴空気除去手段下流において同伴空気の再発達の起源となる塗工液ジェット供給部側の同伴空気起源空気流を阻害するための第２の流入空気阻害手段を、スリット状ノズルを有する塗工液ジェット供給部側面の上流側に少なくとも一つ配置する請求項１から５のいずれか１項に記載の塗工装置。
【請求項７】
前記同伴空気除去手段近傍に、集塵装置を有する請求項１から６のいずれか１項に記載の塗工装置。
【請求項８】
前記同伴空気除去手段を冷却する冷却装置を更に備える請求項１から７のいずれか１項に記載の塗工装置。
【請求項９】
シート状基材の少なくとも一面上に、顔料および／または接着剤を主成分とする塗工層を請求項１から８のいずれか１項記載の塗工装置によって塗工することによって製造された塗工紙。
【発明の詳細な説明】
【技術分野】
【０００１】
本発明は、ジェットファウンテン型と呼ばれる塗工装置の一部の如き、バッキングロールに支持されて連続的に走行するウェブの表面に対し、塗工液をスリット状ノズルから吹き出し塗工液ジェットを形成して供給するブレード塗工方式にて塗工する際に、高速操業時においても操業性に優れ、かつ塗工欠陥や品質の低下を起こすことのない塗工装置および該塗工装置によって製造された塗工紙に関するものである。
【背景技術】
【０００２】
工業的に連続でウェブを塗工する方法はこれまで数多くの方法が提案されている。中でも紙パルプ分野では、ブレード塗工方式が用いられることが多い。これは、ブレード塗工方式によって得られる塗工紙が、他の塗工方式と比較して白紙品質や印刷品質に優れるという品質面と、高速で安定して操業できるという操業面で優れていることによる。
【０００３】
ブレード塗工方式においては、ウェブ上に過剰に供給された塗工液を、主として金属製のブレード（以下、計量ブレードと言う）を密着・加圧することにより余剰の塗工液を掻き落として所望の塗工量に計量する。この計量ブレードによる計量を行う前には塗工液をウェブに供給するアプリケート部があり、このアプリケート部の形式として、塗工液が蓄積されたカラーパンにウェブを接触させてウェブ上に塗工液を供給するカラーパン供給方式、カラーパンに一部が浸漬された単一のロールまたは複数本のロールを組み合わせたロール群からウェブ上に塗工液が供給されるロール供給方式、幅方向に均一なギャップを有するスリット間から、ウェブに対してある角度を有して塗工液を吐出するジェット供給方式等があるが、塗工液のウェブ上への幅方向・流れ方向の均一供給、高速塗工への対応という面で、特許文献１に例示されたフリージェット型、またはジェットファウンテン型と呼ばれるが如き、ジェット供給方式で供給するブレード塗工方式が、最も主流であるといえる。
【０００４】
【特許文献１】特開２００３−１５９５４８号公報
【０００５】
ブレードコーターにおける塗工上の問題点としては、ウェブ切れや塗工量のプロファイル不良、あるいは局所的に塗工されない箇所が現れるストリーク、スキップコートなどの各種問題点が知られているが、近年の塗工速度の高速化等によって、以下に説明するような転写面不良やバックフローと称される、操業上の問題、あるいはこれらにより誘起される品質上の問題が散見されるようになってきた。
【０００６】
ブレード塗工方式において、ジェット供給方式にて供給された塗工液はバッキングロールに支持されたウェブに衝突し、その後計量ブレードにて余剰の塗工液が掻き取られる訳であるが、理想的な状態であれば塗工液のウェブ衝突点からブレード計量部までのウェブ上の塗工液は均一な湿潤塗工液量となっているため、鏡面に近い面感を持っている。転写面不良とは、本来鏡面に近い状態であるところの未計量状態のウェブ上塗工液表面が荒れた状態となり、結果としてウェブ上塗工量プロファイルが悪化したり、未塗工部を生ずることを言う。
【発明の開示】
【発明が解決しようとする課題】
【０００７】
発明者らが検討した結果、転写面不良の発生原因として最も大きいのは、ジェット供給方式にて供給された塗工液ジェットがバッキングロールに支持されたウェブに衝突する際に、ウェブに同伴されてきた空気層（以下、同伴空気層と言う）が塗工液ジェットを下流側に押し出すと同時に、該空気層がウェブと塗工液の間に入り込むことにより生ずることであると判断された。
【０００８】
転写面不良の解消方法としては、経験的に、スリット状ノズルからの塗料吐出量を上げる、または塗工液ジェットのウェブへの衝突角度を上げる、あるいは塗工液を吐出するスリット状ノズルのスリット間隔を狭めて吐出速度を上げることにより、ウェブ進行方向に対して鉛直方向の衝突エネルギーを増し、同伴空気層の進入を阻害する方法がとられてきた。しかし、近年の塗工速度の高速化に伴い、これら対処法では対応に限界があり、さらには上記対処法は塗工液ジェットがウェブに衝突した際にウェブに水平な方向に塗工液を飛散させやすくなることにもつながり、これがバックフローと呼ばれる新たな操業上問題を発生させてしまうため、効果は限定的であった。
【０００９】
前出のバックフローについては、発明者らが検討した結果から、以下のように高速塗工対応とする場合に発生し易くなると考えられる。すなわち、同粘度の塗工液をブレード塗工方式で同一塗工条件で塗工した場合、塗工速度の高速化に従って塗工量が増大するため、所望の塗工量にするためには計量ブレードの押しつけ圧を上げる必要がある。しかし、ブレード押しつけ圧には上限があり、さらにはブレード押しつけ圧上昇によってウェブが破断し、操業できなくなる危険性が飛躍的に高くなる。このため、所望の塗工量にコントロールするために所謂ハイシェア粘度を低減させる必要があることから、塗工液の固形分濃度を低下させて粘度を減少させる方法等がとられるが、この粘度の低下、ならびに塗工速度増に比例して塗工液供給量も増大させざるを得ないため、塗工液ジェットがウェブに衝突した際に衝突エネルギーが大きすぎることにより塗工液を水平な方向に飛散させやすくなり、バックフローが発生するために操業性に支障をきたすこととなる。
【００１０】
これまで、転写面不良やバックフローの解決策として、装置的な対応もいくつか提案されている。例えば、同伴空気に起因する転写面不良の改善に関しては、塗工液ジェットがウェブに衝突する地点直前にウェブ進行方向と逆方向の空気ジェットを吹き付ける方法が例えば特許文献２に開示されている。塗工液吐出部と一体化した吐出量・吐出角度可変な空気噴出機構を持たせる方法は例えば特許文献３に開示されている。塗工液ジェットがウェブに衝突する地点直前にウェブ進行方向と逆方向の空気ジェットを吹き付ける方法にさらに水蒸気噴出機構を付与し、同伴空気層の空気（以下、同伴空気と言う）を水蒸気と置換させる方法が例えば特許文献４に開示されている。特定条件の塗工液ジェットを形成した上でウェブ近傍に吸引装置を設置する方法が例えば特許文献５に開示されている。また、バックフローの改善方法に関しては、例えば、塗工液ジェットがウェブに衝突する地点に向けてウェブ上流側よりウェブの進行方向に向かって空気を吹き付ける方法が例えば特許文献６に開示されている。
【００１１】
しかし、ジェット供給方式では、塗料吐出状態の変動により塗工液が全量ウェブに転移しない場合があり、酷い場合には前述したバックフローに近い状態となる。上記装置的な改善提案のうち、同伴空気に起因する転写面不良の改善方法に関し、空気ジェットをウェブ進行方向と逆方向に吹き付ける方法では、バックフローが発生して塗工液が飛散した場合、飛散した塗工液が塗工液ジェット衝突前にウェブ上に転移して塗工量プロファイルを悪化させたり、製品の外観や印刷品質を損ねたり、操業上清掃頻度が多くなる問題を抱えている。また、同伴空気を水蒸気に置換する方法では、同伴空気による塗工量プロファイル悪化防止やスキップ塗工防止には一定の効果が期待されるが、部分的な水分プロファイル斑による製品の強度斑、乾燥斑等による印刷品質の低下または印刷障害を引き起こす可能性があり、特定条件の塗工液ジェットを形成した上でウェブ近傍に吸引装置を設置する方法では、高速塗工時の同伴空気除去効果に劣り、さらに操業要因変動によりバックフローが発生した場合に吸引装置に乾燥した塗工液が堆積して操業が不可能になる可能性がある。バックフローへの対応がなされないのは前記方式と同じである。また、バックフローの改善方法に関しては、塗工液ジェットがウェブに衝突する地点に向けてウェブ上流側より空気を吹き付ける方法では、バックフローの発生抑制に一定の効果は期待できるものの、転写面不良を促進する結果となり、満足する結果が得られない。このように、同伴空気に起因する転写面不良の改善と、バックフローに対する対策とを同時に満足する方法は、未だ提案されていない。
【００１２】
【特許文献２】実開平２−１１２３７７号公報
【特許文献３】実開平５−３９６８０号公報
【特許文献４】特開２００１−３８２７１号公報
【特許文献５】特開平１０−４３６６１号公報
【特許文献６】特開平７−２５６１８４号公報
【００１３】
ジェット供給方式のブレード塗工方式の塗工液ジェットが原紙に衝突する地点において、塗工液が供給される前のウェブと塗工液ジェットが形成する角度は９０度未満であり、通常３０〜６０度程度の角度で塗工液ジェットが原紙に衝突する。この衝突点付近のくさび状の部分ではウェブに同伴する空気層が集中しやすくなっている。しかし、塗工液のウェブへの衝突速度を考えると、加圧・吐出式であり所望の塗工量の１０倍以上の塗工液を供給するジェット供給式ブレード塗工方式では、塗工液のウェブへの衝突エネルギーが非常に高い。このため、ジェット供給式ブレード塗工方式では、これまで特段の手段を講じなくとも塗工速度が１０００ｍ／ｍｉｎ程度以下の塗工の場合には同伴空気による転写面不良の発生に起因する操業上、品質上の問題は顕在化しにくいものであったと推定される。
【００１４】
更に、例えば得られる塗工紙品質向上のために原紙の平滑性を向上させた場合、該ウェブ表面の凹凸が低くなることから、ウェブ上に供給された塗工液が凹凸によりウェブ進行方向に引っ張られる効果が少なくなり、結果として塗工液は進行方向と逆方向に広がりやすくなるため、バックフローが発生しやすい状態につながるのではないかと本発明者等は推測した。この原紙平滑性の向上や、近年の塗工速度のさらなる向上、あるいは高速塗工に対応した塗工液の低粘度化などにより、転写面不良・バックフローといった操業上の問題が散発するようになってきていると本発明者等は考えている。
【００１５】
ウェブに同伴される同伴空気のウェブ進行方向流速は、平板上境界層流速分布式とほぼ同一であると考えることができるため、塗工速度上昇によりウェブの移動速度が上昇すると、同伴される空気流速が大きくなるのはもちろんのこと、移動するウェブの速度に近い流速を持つ空気層厚みが増大し、塗工液ジェットがウェブに衝突する地点に対して衝突する空気流の運動エネルギーも増大することとなる。同伴空気層の厚みとしては、数ｍｍ以下であるが、流速が非常に大きいため、わずかな厚みを持つ同伴空気が操業性に大きく影響すると考えられる。しかし、これまで提案されているカウンターエア方式、減圧方式では、高速の同伴空気層を完全に遮断するのは難しかった。
【００１６】
上記の如く、バッキングロールに支持されて連続的に走行するウェブの表面に対し、塗工液をスリット状ノズルから吹き出し塗工液ジェットを形成して供給するブレード塗工方式において、高速で良好な操業性をもち、かつ塗工欠陥等がない高品質な製品を得るための塗工装置としては、未だ改善の余地が残されていた。
【００１７】
そこで本発明は、バッキングロールに支持されて連続的に走行するウェブの表面に対し、塗工液をスリット状ノズルから吹き出し塗工液ジェットを形成して供給するブレード塗工方式にて塗工する際に、高速操業時においても転写面不良やバックフローによる、塗工欠陥の発生や品質の低下を起こすことのなく、かつ操業性に優れる塗工装置および塗工装置よって塗工された塗工紙を提供することを目的とする。
【課題を解決するための手段】
【００１８】
本発明に係る塗工装置は、バッキングロールに支持されて連続的に走行するウェブの表面に対し、塗工液を塗布する塗工装置であって、
スリット状のノズル開口部を有し、該ノズル開口部から塗工液を吹き出し、塗工液ジェットを形成する塗工液供給部であって、該ノズル開口部から走行しているウェブへの塗工液衝突点までの距離が５〜７００ｍｍの範囲になるように配置される塗工液供給部と、
該ウェブへの塗工液衝突点よりもウェブの上流側５〜１００ｍｍの範囲でその先端部がウェブに接触して配置される先端部を有する同伴空気除去手段と、
該ウェブへの塗工液衝突点よりもウェブの下流側に配置され、塗工された塗工液を掻きとる計量部と、
を有する塗工装置である。
【００１９】
さらに、同伴空気除去手段が、ブレード、回転ロッド、静止ロッドのいずれかであることが好ましい。
また、同伴空気除去手段の先端部がブレードであって、該ブレードの少なくとも前記ウェブへの塗工液衝突点側に面する面が、撥水加工された面であることが好ましい。
鉛直下方と同伴空気除去ブレードが形成する角度が、５〜８５度であることが好ましい。
【００２０】
さらに、前記同伴空気除去手段下流において同伴空気の再発達の起源となる同伴空気除去手段側の同伴空気起源空気流を阻害するための第１の流入空気阻害手段を、同伴空気除去手段の下流側面に少なくとも一つ配置することが好ましい。
更に、前記同伴空気除去手段下流において同伴空気の再発達の起源となる塗工液ジェット供給部側の同伴空気起源空気流を阻害するための第２の流入空気阻害手段を、スリット状ノズルを有する塗工液ジェット供給部側面の上流側に少なくとも一つ配置することが好ましい。
【００２１】
ウェブに接触する同伴空気除去ブレード近傍に、集塵装置を有することが好ましい。
また、ウェブに接触する同伴空気除去ブレードを冷却可能な冷却装置を備えることが好ましい。
本発明に係る塗工紙は、上述のごとくの塗工装置によって、シート状基材の少なくとも一面上に、顔料および／または接着剤を主成分とする塗工層を設けてなる塗工紙である。
【００２２】
バッキングロールに支持されて連続的に走行するウェブに塗工液をスリット状ノズルから噴出させる塗工装置において、塗工地点の上流側にブレード等の同伴空気除去手段を設置して転写面不良等の操業上の問題を起こらなくさせた。
【発明の効果】
【００２３】
高速操業時においても転写面不良やバックフローによる、塗工欠陥の発生や品質の低下を起こすことのなく、かつ操業性に優れる塗工装置であった。得られた塗工紙も塗工欠陥の発生や品質の低下の無いものであった。
【発明を実施するための最良の形態】
【００２４】
本発明に係る塗工装置の一例を図を用いて説明する。図１は本発明に係る塗工装置の一例の断面図である。この塗工装置は塗工液ジェット供給方式のブレード塗工方式の塗工装置である。バッキングロール３１に支持されてウェブ３３が連続的に走行している。塗工液ジェット供給部１１はウェブ３３の表面に対し、塗工液をスリット状ノズル１１ａから吹き出し塗工液ジェット１３を形成して供給する。同伴空気除去ブレードホルダー２３が支持する同伴空気除去手段を構成する同伴空気除去ブレード２１の先端部２１ａは塗工液がウェブに衝突する地点Ｃよりもウェブの上流側の５〜１００ｍｍの地点になるように配置されている。図１の中で塗工液ジェット供給部１１とバッキングロール３１の関係をより詳細に表すために図２を示す。図２は塗工液ジェット供給部１１とバッキングロール３１の関係のみを示す略拡大断面図である。スリット状ノズル先端１１ａから走行しているウェブへの塗工液衝突点Ｃまでの距離がｄで表される。
塗工液ジェット１３がウエブ３３の表面に付着して塗工層１３ａが形成される。この塗工層１３ａは過剰の厚さに形成されるので、その過剰分を後方に配置される計量部を構成する計量用ブレード１５で掻き落とし、所望の塗工層１３ｂが形成される。
【００２５】
前述の通り、塗工液ジェット供給方式では、塗工液をウェブ上に供給する際に高速で移動するウェブ表面の同伴空気層の影響を受け、転写面不良・バックフローといった操業上の問題を生ずるとともに、未塗工部の発生・塗工量プロファイル不良、白紙・印刷品質不良が誘発されることがある。発明者らは、これら問題をウェブに同伴する空気層を除去することにより解消できると考え、各種検討を行った。その結果、ウェブに同伴する空気層の除去のためには、該空気層を物理的に除去するため、ウェブに接触する同伴空気除去手段を設けることが最良であるという結論に至った。
【００２６】
すなわち、同伴空気を除去することにより、塗工液ジェットがウェブに衝突する地点で該同伴空気がウェブと塗工液の間に進入すること抑制でき、結果として転写面不良の発生を効果的に防止することができる。従って、転写面不良が発生した際の対策として塗工液ジェット吐出量を上げる、塗工液ジェット衝突角を上げる、あるいは塗工液を吐出するスリットノズルのスリット間隔を狭めて吐出速度を上げる等の対応をとる必要がなくなり、バックフローの発生をも効果的に防止することができることが判明した。また、本発明の方法により、塗工紙の高品質化や高速塗工対応とした場合の、塗工前の高平滑なウェブの塗工や低粘度の塗工液の塗工に対してもバックフロー抑制効果があることが明らかとなった。
【００２７】
同伴空気除去手段の先端部の設置位置としては、塗工液がウェブに衝突する地点Ｃよりもウェブの上流側５〜１００ｍｍであることが必要である。該設置位置として塗工液がウェブに衝突する地点Ｃよりもウェブの上流側５ｍｍ未満であると、塗工液ジェットの原紙上への衝突地点が操業上の変動要因により変化した場合、塗工液ジェットが同伴空気除去装置に接触することがあり、操業性の低下につながる。他方、該設置位置として塗工液がウェブに衝突する地点よりもウェブの上流側１００ｍｍを超えた位置であると、同伴空気除去効果に劣り、本発明の所望の効果を得ることができない。なお、同伴空気除去手段の設置位置として塗工液がウェブに衝突する地点よりもウェブの上流側５〜５０ｍｍであると同伴空気除去効率が高まるため好ましく、さらに塗工液がウェブに衝突する地点よりもウェブの上流側５〜３０ｍｍに設置した場合、最も同伴空気除去効率が高まるためより好ましい。
【００２８】
なお、同伴空気除去手段の設置位置が調整できる機構を備えることが好ましい。本発明において、同伴空気除去手段の設置位置として好適な範囲は前記の通りであるが、これは通常の操業状態における場合である。例えば塗工開始時等に好適な範囲外の位置で塗工を開始し、その後本発明で規定する好適な範囲に調整することや、ウェブを連結するスプライステープ通過時には一時的に同伴空気除去手段のウェブとの接触圧力を低下させるか非接触とすること、あるいは清掃のために位置を移動させること等、必要に応じて設置位置を変更できることが好ましい。
【００２９】
図２中符号ｄで示される、スリット状ノズル先端１１ａから走行しているウェブへの塗工液衝突点Ｃまでの距離ｄについては、ｄが小さすぎる場合にはスリット状ノズルがウェブに接触したり、ウェブを連結する目的で使用されるスプライステープ等に接触することでウェブ破断や塗工欠陥を起こす可能性があり、他方ｄが大きすぎる場合、塗工液ジェットのウェブへの衝突状態が不安定となることがあるため、ｄとして５〜７００ｍｍであることが必要である。塗工液ジェットの流れを安定化させるためには、ｄの下限値として好ましくは２０ｍｍ以上、上限値として好ましくは５００ｍｍ以下であり、さらに安定性を増すために、ｄの下限値としてより好ましくは５０ｍｍ以上であり、ｄの上限値としてより好ましくは４００ｍｍ以下である。
【００３０】
同伴空気除去手段の先端部としては、塗工液が塗工されるウェブに同伴されてくる同伴空気を遮断するために、同伴空気除去手段の先端部がウェブに接触していることが必要であり、かつ長時間の操業中にも効果が減ぜられないことが好ましい。このため、同伴空気除去手段の先端部としては、ブレード、回転ロッド、静止ロッドのいずれかであることが好ましい。これらをバッキングロール上のウェブに直接接触・加圧することで、ウェブに同伴されてきた同伴空気層を除去できる。なかでも、同伴空気除去方法として、走行するウェブとの密着性に優れ、その結果同伴空気除去効率が最も優れるブレード（以下、同伴空気除去ブレードと言う）の使用が好ましい。ブレード、回転ロッド、静止ロッドの材質、形状については、該同伴空気除去手段の先端部が常時走行しているウェブと接触し、効果的に同伴空気層を除去できるのであれば制限はない。
【００３１】
例えば、塗工液をウェブ上に転移せしめた後、後計量により所望の塗工量に制御するために用いられるブレード塗工計量用ブレード等を使用することができる。更に詳細に述べると、ブレードについては金属製、セラミック製、プラスチック製等が使用でき、また金属やプラスチックにセラミック加工したものや、メッキブレード、溶射ブレード、ソフトチップブレード等も使用可能である。ブレード刃の厚み、刃先の角度についても特に限定はない。さらに、剛直なベベルブレードと呼ばれるタイプ、または屈曲可能なベントブレードと呼ばれるタイプのどちらも使用することができる。ロッドに関しては、ロッドが回転する物、静止している物いずれも使用可能であるが、回転式ロッドの方がウェブに接触した際にウェブ表面状態を変化させる確率が低く、より好ましい。回転式ロッドの回転方向については限定されず、ウェブへの接触点においてロッドの回転方向とウェブの進行方向が同方向でも逆方向でも良い。また、ロッドタイプとしては、滑らかな表面を持つプレーンロッド、ワイヤー等を巻き付けて規則的なＶ型の溝のあるワイヤーロッド等が使用できるが、ウェブとロッドの密着性の観点から、プレーンロッドが好ましい形態である。ブレードとロッドを比較した場合、ウェブへの密着性、保守の容易さ、および後述するバックフロー対策の面で、ブレードを用いることが好ましい。
【００３２】
しかしながら、本発明による同伴空気除去手段を有していたとしても、塗工速度の高速化に対応するため、塗工液の粘度を低減せざるを得ない場合がある。この場合、同伴空気を完全に除去できたとしても、塗工液粘度が低いこと、および塗工液吐出量が多くなることから、バックフローが発生しやすくなる可能性がある。操業条件の変動によっても、一時的ではあってもバックフローが発生する可能性があることから、本発明においては万が一バックフローが発生したとしても操業性に支障のないよう、さらに以下の対策が有効であることを見いだした。
【００３３】
すなわち、同伴空気除去手段の先端部であるブレード等の、少なくとも塗工液がウェブに衝突する地点側の面が、撥水加工された面を持つことが好ましい。これは、塗工液ジェットがウェブに衝突する際に、何らかの原因で塗工液ジェット液の乱れが生じて塗工液の飛散を起こした際、あるいはこれが酷くなってバックフローと呼ばれる現象に近い状態になったとしても、同伴空気除去ブレード表面に塗工液が蓄積されることを効果的に防止し、塗工液が蓄積・乾燥したスケールにより塗工量プロファイル不良の発生やストリーク等の塗工欠陥の発生等を抑制できるとともに清掃頻度を少なくすることができるためである。同伴空気除去ブレードの撥水加工に、フッ素樹脂、ポリエチレン樹脂、ポリスチレン樹脂、ポリアセタール樹脂の中から選ばれる樹脂を用いることが好ましい。
【００３４】
同伴空気除去手段上への塗工液蓄積を防止するためには、撥水加工面の水接触角が１１０度以上であることが好ましい。水接触角が高いほど塗工液蓄積防止性に優れることから、該水接触角としてさらに好ましくは１３５度以上、塗工液蓄積防止性を特に優れた物とするため、該水接触角として特に好ましくは１６０度以上である。また、該水接触角の上限は特にないが、事実上１８０度に到達することは困難であることから、該水接触角の上限値としては１８０度未満である。なお、撥水加工された面の表面が、めっきによる撥水性金属膜である場合、耐久性に優れるため、さらに好ましい形態である。
【００３５】
同伴空気除去手段上への塗工液蓄積をより効果的に防止するためには、図３において符号θで示される、鉛直下方と同伴空気除去手段の先端部が例えばブレードの場合そのブレードが形成する角度が、５〜８５度であることが好ましい。図３は同伴空気除去手段とバッキングロール３１のみを示す断面図である。θが５度未満であると同伴空気除去ブレード２１がバッキングロール３１に対してほぼ垂直に接触するためにブレードの剛性を利用した密着性の向上効果が得られにくく、さらにバッキングロールの偏芯や偏肉があった場合に同伴空気除去ブレードを設置する効果が得られにくく、他方８５度を超えると同伴空気除去ブレード２１の設置が困難であるという理由と、何らかの理由により飛散した塗工液が同伴空気除去ブレードに接触した際、θを５〜８５度にすることにより、塗工液が速やかに同伴空気除去ブレード上から落下し、塗工液の乾燥・蓄積から発生しうる操業上の問題を防止できるためである。同伴空気除去ブレード設置の容易さおよび同伴空気除去ブレードのウェブへの接触状況を同一とするためには、鉛直下方と同伴空気除去ブレードが形成する角度として５〜８５度であることが好ましく、さらに塗工液蓄積をより効果的に防止するためには、鉛直下方と同伴空気除去ブレードが形成する角度として１０〜７５度が特に好ましい。これは図１に示されるように塗工液ジェット供給部１１および同伴空気除去手段である同伴空気除去ブレード２１がバッキングロール３１の下部に設置されているとき、すなわち同伴空気除去ブレード２１の先端部２１ａが同伴空気除去ブレードホルダー２３より高い位置に配置される場合を想定している。
【００３６】
この状態に対して塗工液ジェット供給部１１および同伴空気除去ブレード２１が図１中において、よりバッキングロール３１の左上方向に設置されると、同伴空気除去ブレード２１の先端部２１ａが同伴空気除去ブレードホルダー２３より低い位置に配置されざるを得なくなる。このような場合には鉛直下方と同伴空気除去ブレードが形成する角度として１００〜１７０度であることが好ましく、さらに塗工液蓄積をより効果的に防止するためには、鉛直下方と同伴空気除去ブレードが形成する角度として１０５〜１６０度が特に好ましい。尚このような場合は同伴空気除去ブレード上から落下した塗工液はバッキングロール３１やウェブ３３の方向に落下することになりやすいのであまり好ましくない。その点で上記の同伴空気除去ブレード２１の先端部２１ａが同伴空気除去ブレードホルダー２３より高い位置に配置される場合の方が好ましい。
【００３７】
同伴空気除去手段としてロッドを用いる場合、ロッドを支持するロッドホルダーの角度も、前記ブレードの場合と同様、鉛直下方とロッドホルダーが形成する角度として５〜８５度であることが好ましく、さらに塗工液蓄積をより効果的に防止するためには、鉛直下方とロッドホルダーが形成する角度として１０〜７５度が特に好ましい。
【００３８】
前記同伴空気除去手段下流において同伴空気の再発達の起源となる同伴空気除去手段側の同伴空気起源空気流を阻害するための第１の流入空気阻害手段を、同伴空気除去手段の下流側面に少なくとも一つ配置することが、より好ましい。本発明においては、同伴空気除去装置、例えば同伴空気除去ブレードによりウェブ上の同伴空気は除去されるが、該同伴空気除去ブレードから塗工液ジェット衝突点までの短い距離の間に、ウェブ表面に同伴空気層が再発達する可能性が残されている。この再発達を阻害し、良好な塗工適性を保持するためには、同伴空気除去手段下流において同伴空気の再発達の起源となる同伴空気除去手段側の同伴空気起源空気流を阻害するための第１の流入空気阻害手段を、同伴空気除去手段の下流側面に少なくとも一つ配置することにより、同伴空気除去手段の下流側面側での空気流を意図的に乱すことで、空気流の発達を有効に抑止することができる。
【００３９】
また、前記同伴空気除去手段下流において同伴空気の再発達の起源となる塗工液ジェット供給液部側の同伴空気起源空気流を阻害するための第２の流入空気阻害手段を、スリット状ノズルを有する塗工液ジェット供給部側面の上流側に少なくとも一つ配置することが、より好ましい。塗工液ジェット近傍の空気の流れを考えた場合、塗工液ジェットを形成するスリット状ノズルの上流側側面は、塗工液ジェットの吐出方向に塗工液ジェットのウェブ上衝突点に向けてウエブ上同伴空気と同様の表面空気流が生じていると考えることができる。この空気流はウェブ上の同伴空気と比較すると作用は弱いものの、転写面不良の原因となる可能性が残されている。そこで、前記同伴空気除去手段下流において同伴空気の再発達の起源となる塗工液ジェット供給液部側の同伴空気起源空気流を阻害するための第２の流入空気阻害手段を、スリット状ノズルを有する塗工液ジェット供給部側面の上流側に少なくとも一つ配置することで、スリット状ノズルを有する塗工液ジェット供給部側面表面の滑らかな空気流の流れを阻害し、塗工液ジェットの吐出に起因する空気流の衝突エネルギーを減少させることができ、さらに効果的に転写面不良を抑制できる。
【００４０】
流入空気阻害手段につき、図４、図５を元にさらに説明する。図４は、流入空気阻害手段を配置する前の同伴空気除去部近辺の断面図であり、図５は、流入空気阻害手段７１および７３を配置した場合の同伴空気除去部近辺の断面図である。他の構成は図１の構成と同様であるので符号を省略して表示している部材もある。流入空気阻害手段７１は上述の第１の流入空気阻害手段に相当しており、同伴空気除去ブレードホルダー７５下流側側面に配置され、流入空気阻害手段７３は上述の第２の流入空気阻害手段に相当しており、塗工液ジェット供給部７７上流側側面に配置されている。流入空気阻害手段を配置していない図４に示した例の場合、同伴空気除去ブレードホルダー７５および同伴空気除去ブレードの下流表面においては、滑らかな空気の流れＷ１が発生しうる。この気流Ｗ１は同伴空気の再発達の起源となる同伴空気除去手段側の同伴空気起源空気流となる可能性がある。これに対し流入空気阻害手段７１を配置した場合、同伴空気除去ブレードホルダー７５および同伴空気除去ブレードの下流表面における空気の流れを図５において符号Ｗ３に示すように、同伴空気除去ブレードホルダーおよび同伴空気除去ブレードの下流表面において滑らかに流れることを阻害され、同伴空気の再発達を効果的に抑制することができる。
【００４１】
また、塗工液ジェット供給部７７上流側に流入空気阻害手段を配置していない場合も図４に示すように、塗工液ジェット供給部上流側側面の空気の流れＷ２が発生し得る。この気流Ｗ２は、塗工液ジェットのウェブ上への衝突点Ｃにむけて流れる可能性があり、同伴空気層再発達の原因となる同伴空気起源空気流となり得るとともに、転写面不良の原因となる可能性が残されている。これに対し流入空気阻害手段７３を配置した場合、塗工液ジェット供給部上流側側面の空気の流れは図５において符号Ｗ４で示すように変化し、転写面不良を起こす可能性を効果的に低減することができる。
【００４２】
流入空気阻害手段は、ウェブ進行方向Ａに対し、同伴空気除去ブレードの下流側側面、同伴空気除去ブレードホルダーの下流側側面、もしくは塗工液ジェット供給部の上流側側面のいずれか、あるいはこれら複数箇所に設置することができ、設置箇所の数は１箇所に限らず複数箇所とすることができる。また、流入空気阻害手段の設置個数も１個と限らず複数個とすることができる。また、例えば同伴空気除去ブレードホルダー７５側面に複数の流入空気阻害手段を配置するように、１箇所の設置場所に対して複数の流入空気阻害手段を配置することも、もちろん可能である。
【００４３】
なお、本発明で言う流入空気阻害手段の種々の例を図６に示した。図６は本発明で使用される流入空気阻害手段の種々の例の断面図である。符号６１は流入空気阻害手段を設置するための部材であるスリット状ノズル上流側側面、同伴空気除去ブレード下流側表面、同伴空気除去ブレードホルダー下流側側面のいずれかを示しているものとする。符号６２ａで示されるが如き平板、符号６２ｂで示されるが如き曲板、符号６２ｃで示されるが如き多角形柱、符号６２ｄで示されるが如き円柱等から選ばれるいずれかの部材を配置する。円柱等とは、円柱、楕円柱、もしくはこれらの一部を直線的に切り取ったものをいい、例えば半円柱なども含有される。これら流入空気阻害手段を配置することにより、図４で示した例では下部から上部に向かう空気流を阻害、もしくは乱す作用を生じ、従って塗工液ジェットの進行方向への空気流の発達や、同伴空気層の再発達を阻害することができ、転写面不良等の操業性・品質の低下を回避することができる。平板および曲板の厚みについては、薄すぎる場合には容易に変形するため空気流により振動を励起したりすることがあるため好ましくない。実用的には０．５ｍｍ以上の厚みが好ましく、１ｍｍが更に好ましい。安全面から、平板・曲板の自由先端は曲面となっていることが好ましい。流入空気阻害手段部材の張り出し高さｈが小さすぎる場合には、該部材の設置効果が低くなるため、高さｈとしては３ｍｍ以上が好ましく、５ｍｍ以上がより好ましく、１０ｍｍ以上がさらに好ましい。ｈが大きすぎる場合には設置が困難になる可能性があり、１００ｍｍ以下が好ましく、５０ｍｍ以下がより好ましい。流入空気阻害手段で使用される平板、曲板、多角形柱、円柱等の部材の材質について限定はないが、堅牢であることが要求されるため、金属や樹脂、ゴム類等が好適に使用できる。また、これら流入空気阻害手段部材の表面を撥水加工して使用することも、良好な操業性を保持するために好ましい形態である。
【００４４】
流入空気阻害手段の設置位置としては、バッキングロールに近いほど好ましいが、バッキングロールとの距離が大きくなると効果が低減する可能性があり、他方該距離が小さすぎた場合にはウェブとの接触により操業性を低下させる可能性がある。このため、流入空気阻害手段とバッキングロールとの距離として、下限値として５ｍｍ以上が好ましく、１０ｍｍ以上が更に好ましく、上限値として８００ｍｍ以下が好ましく、３００ｍｍ以下がより好ましく、５０ｍｍ以下が特に好ましい。
【００４５】
同伴空気除去手段としてブレードを用いる場合、摩耗による同伴空気除去ブレード刃長減少による押しつけ圧変動を自動的に補正する機構が備わっていることがより好ましい。本発明において同伴空気除去ブレードは計量の必要がないために、走行するウェブに密着するに十分な圧力で押しつければ良く、加圧力としてはさほど大きな圧力は必要ない。例えば計量ブレードの押しつけ圧数ｋｇ／ｃｍと比較して、数十〜百分の一程度の圧力で良いが、それでも物理的に接触していることから長時間の操業においては同伴空気除去ブレードが摩耗し、同伴空気除去ブレード刃長が減少する可能性がある。この場合にはウェブとの密着性が低下し、同伴空気防止効果が低下する恐れがあるため、同伴空気除去ブレードの押しつけ圧変動を自動的に補正する機構が備わっていることがより好ましい。押しつけ圧補正機構については特に限定はなく、例えば、刃長減少量に応じて同伴空気除去ブレード位置を微調整する機構、あるいは同伴空気除去ブレードの押しつけ圧を常に一定とする機構等が挙げられる。
【００４６】
同伴空気除去ブレードとして、剛直なベベルブレードを使用する場合、通常は刃先角度が９０度未満の物が使用される。この場合、該ベベルブレード刃先全面がウェブに接触することで最良の結果を得ることができるため、同伴空気除去ブレードとバッキングロール接線方向で形成される角度が、ベベルブレードの刃先角度に対し、−１〜＋４度以内であることが好ましい。
【００４７】
また、同伴空気除去手段としてブレードを用いる場合、ウェブに接触するブレード近傍に、集塵装置を有することにより、同伴空気除去ブレードが走行するウェブに接触している間、万が一塵が発生した場合でも品質低下を起こすことがないために好ましい。該集塵装置の配置位置としては、同伴空気除去ブレードのウェブ進行方法上流側、下流側どちらでもよく、またウェブからの距離も集塵装置の性能に応じて適宜調整される。設置の容易さから同伴空気除去ブレードの上流側とすることが好ましく、またウェブからの距離としては５０ｍｍ以下が好ましく、集塵効率を高めるためには１０ｍｍ以下が更に好ましい。該集塵装置は、ウェブと同伴空気除去手段が接触することによって発生する塵の除去が目的であり、同伴空気を除去する目的で使用されるものではない。
【００４８】
同伴空気除去手段としてブレードを用いる場合、同伴空気除去ブレードを冷却可能な冷却装置が備わっていることがより好ましい。同伴空気除去ブレードはウェブに物理的に接触しているため、摩擦熱が発生する可能性がある。通常の状態では、ウェブに同伴されてきた空気層が同伴空気除去ブレードで除去された際に、同伴空気除去ブレードの上流側表面を流れるため、同伴空気除去ブレードの冷却効果を有するが、より高速での操業となった場合には上記空冷効果のみでは同伴空気除去ブレードの温度上昇を防止できなくなる可能性があり、この場合、同伴空気除去ブレードの撥水加工面に塗工液が接触した際に蒸発乾燥し、塗工液が同伴空気除去ブレード上に蓄積して操業性が悪化する懸念がある。このため、同伴空気除去ブレードを冷却可能な冷却装置が備わっていることがより好ましい。該冷却装置としては特に限定されず、例えば同伴空気除去ブレードを保持するブレードホルダーの中に冷却水を循環させる方法、同伴空気除去ブレードの上流側から冷却空気を吹き付ける方法等をとることができる。なお、冷却空気を吹き付ける方法においては、同伴空気除去ブレード上で結露した場合にウェブ破断につながる可能性があるため、好ましくは相対湿度２０％以下、結露をより効果的に防止するためには、相対湿度１０％以下の乾燥冷却空気を使用することがさらに好ましい。
【００４９】
本発明による塗工装置は、シート状基材の少なくとも一面上に、顔料および／または接着剤を主成分とする塗工層を設けてなる塗工紙の製造に好適に用いられることができる。ジェット供給方式のブレード塗工方式の場合、一般的に塗工紙の塗工速度はすでに１０００ｍ／ｍｉｎを超える高速での操業が一般的になってきており、将来的に２０００ｍ／ｍｉｎ以上となることが予測されている。このような高速塗工時には同伴空気による塗工欠陥発生、操業性悪化が発生しやすい問題を抱えている。本発明の塗工装置は、このような高速塗工においても、塗工欠陥の発生や品質の低下、操業性悪化を効果的に防止することができる。
【００５０】
本発明において、ジェット供給方式の塗工液を供給するスリット状ノズルのスリット幅については、スリット幅が狭すぎる場合、塗工液中の粗大粒子もしくは凝集物がスリット間に滞留することで塗料量プロファイルを悪化させる可能性があり、他方広すぎた場合には塗工液ジェットのウェブへの衝突速度が低すぎて正常な塗工が行われない可能性がある。このため、該ノズルのスリット幅としては、０．５〜３．０ｍｍが好ましく、塗工液ジェットをより安定させるため、より好ましくは１．０〜２．５ｍｍである。
【００５１】
本発明において、ジェット供給方式のスリット状ノズルからの塗工液吐出速度については、吐出速度が遅い場合は走行するウェブ表面への塗工液の転移が正常に行われにくくなることから転写面不良が発生しやすくなり、他方早すぎる場合にはバックフローが発生しやすくなる。このため、スリット状ノズルからの塗工液吐出速度の下限値として好ましくは１００ｍ／ｍｉｎ以上、他方上限値としてはウェブの進行速度以下が好ましい。転写面不良およびバックフロー両者をより効果的に防止する観点から、スリット状ノズルからの塗工液吐出速度としてより好ましくは下限値として２００ｍ／ｍｉｎ以上であり、上限値として４００ｍ／ｍｉｎ以下である。
【００５２】
本発明において、ジェット供給方式のスリット状ノズルからの塗工液供給量は、所望の塗工量に対して適宜変更が可能であるが、計量ブレードでの計量を考慮すると、ウェブ上への所望の塗工量に対して５〜３０倍程度が好ましく、塗工液ジェットの安定性と計量ブレードでの計量性のバランスから、より好ましくは１０〜２５倍である。
【００５３】
本発明において、図２におけるウェブ上への塗工液衝突地点におけるバッキングロール接線方向Ｔと塗工液ジェット１３の間で形成される、塗工液ジェットの衝突角度については、図２の符号Φで示される角度を指し、該衝突角度が小さすぎる場合には転写面不良が発生しやすくなり、他方大きすぎる場合にはバックフローが発生しやすくなる。該衝突角の上限として好ましくは７０度以下、下限として好ましくは１５度以上であり、転写面不良およびバックフロー両者をより効果的に防止する観点から、該衝突角としてより好ましくは上限として６０度以下、下限として３５度以上である。
【００５４】
塗工液粘度に関しては、粘度が高すぎる場合には計量ブレードで所望の塗工量に制御するのが困難となり、他方低すぎる場合にはバックフローが発生しやすくなる。このため、塗工液の粘度としては、ハーキュレス型ハイシェア粘度計等で測定されるせん断速度１．８×１０５（１／ｓ）でのハイシェア粘度の下限値として５ｍＰａ・ｓ以上が好ましく、バックフロー防止のためには下限値として１０ｍＰａ・ｓ以上がさらに好ましい。良好な塗工性を保持するためには該ハイシェア粘度の上限値として４５ｍＰａ・ｓ以下であることが好ましく、さらに塗工性を良好とするためには上限値として３５ｍＰａ・ｓ以下であることがより好ましい。ハイシェア粘度が３０ｍＰａ・ｓ以下の場合、本発明の効果により転写面不良を抑制できることからバックフローの発生を抑制でき、本発明の効果が顕著であり、さらに２５ｍＰａ・ｓ以下の場合にはより顕著である。
【００５５】
塗工液の固形分濃度については特に限定される物ではないが、該固形分濃度が適正な範囲にないと計量ブレードで所望の塗工量に制御するのが困難となる。該固形分濃度が高すぎる場合、計量ブレードでの塗工量制御が不可能となるばかりか、塗工量プロファイルが極端に悪化する可能性がある。他方、該固形分濃度が低すぎる場合、計量ブレードの条件をいかようにしても所望の塗工量を得られなくなるばかりか、得られる塗工物の品質低下が起こり好ましくない。このため、塗工液の固形分濃度の上限として好ましくは７２％以下であり、さらに好ましくは７０％以下であり、特に好ましくは６８％以下である。塗工液の固形分濃度の下限として好ましくは３０％以上であり、さらに好ましくは４５％以上であり、特に好ましくは５５％以上である。なお、塗工液固形分濃度が低い場合には塗工液粘度が低い傾向にあり、このためバックフローが発生しやすい。従って、塗工液固形分濃度として３０％以上６８％以下で本発明の効果が現れやすく、該固形分濃度として４５％〜６６％の場合には本発明による効果が顕著である。
【００５６】
ウェブの塗工速度については、本発明の効果はより高速での塗工時において効果が大きい。このため、塗工速度が小さい場合は本発明の効果が出にくい。５００ｍ／ｍｉｎ未満の塗工速度では効果が発現しにくい。効果が発現する上でより好ましくは１０００ｍ／ｍｉｎ以上、特に好ましくは１２００ｍ／ｍｉｎ以上である。塗工速度の上限値は、計量ブレードにおいて塗工が正常に行われる範囲であれば問題ないが、３０００ｍ／ｍｉｎを超えての操業は困難であり、塗工速度の上限値としては３０００ｍ／ｍｉｎ以下が好ましい範囲である。
【００５７】
本発明において塗工液計量部において使用される計量ブレードとしては、剛直なベベルブレードと呼ばれるタイプ、または屈曲可能なベントブレードと呼ばれるタイプのどちらも使用することができる。また、ブレードの材質については特に限定はなく、公知公用の計量用ブレードが使用できる。セラミック加工を施した金属製ブレード、メッキブレード、溶射ブレード、ソフトチップブレード等も使用可能である。ブレード刃の厚み、刃先の角度についても特に限定はなく、たとえばブレード刃の厚みとして０．０５〜１．０ｍｍ、刃先の角度として１０〜９０度のブレードが使用できる。
【００５８】
塗工層が形成されるウェブとしては特に限定はなく、例えばセルロース繊維を主体とした紙、および各種樹脂を主成分とするフィルム等を用いることができる。紙の場合、表面に澱粉等のサイズプレス処理の有無や、顔料および／または接着剤を主体とする塗工層の有無にかかわらず使用することができる。フィルムの場合、アンカー層の塗工やコロナ処理による表面処理の有無に関わらず使用することができる。
【００５９】
塗工紙の製造に用いられる、顔料および／または接着剤を主成分とする塗工層を設ける原紙としては特に限定はないが、例えばセルロース繊維を主体とする紙基材および、あらかじめ顔料および／または接着剤を主成分とする下塗り塗工層を少なくとも１層以上設けたものである塗工用原紙を用いることができる。得られる塗工紙の光沢・平滑度を良好とするためには、あらかじめ顔料および／または接着剤を主成分とする下塗り塗工層を少なくとも１層以上設けたものである塗工用原紙を使用することが好ましい。少なくとも１層以上の下塗り層を設けたような、平滑度の高い塗工原紙の如き平滑性の高いウェブを使用する場合、本発明の効果が顕著である。このため、塗工紙用原紙として、パーカープリントサーフ（ＰＰＳ）表面平滑度試験機（例えば、機種：ＭＯＤＥＬ  Ｍ−５６９型、ＭＥＳＳＭＥＲ  ＢＵＣＨＥＬ社製／英国、が該当する）を用い、バッキングディスク：ソフトラバー、クランプ圧力：１ＭＰａの条件で測定されるＰＰＳ平滑度が、５．０μｍ以下である原紙の使用が好ましく、該平滑度として４．０μｍ以下である原紙の使用がさらに好ましく、該平滑度が３．５μｍ以下である原紙の使用が特に好ましく、該平滑度が３．０μｍ以下である原紙の使用が、得られる塗工紙の品質が最も良好であり、本発明の最も好ましい形態である。
【００６０】
塗工紙の製造に対して本発明の方法を適用した場合、塗工液のウェブへの接触時間、および接触量を、ウェブの幅方向・流れ方向のいずれの方向についても均一化できるため、目視にて転写面不良が確認できない極軽度の転写面不良が発生している場合においても、得られる塗工の塗工量プロファイル、および印刷品質を向上できる。
【００６１】
紙基材を形成するパルプについては、製法や種類等について特に限定するものではなく、ＫＰ、ＳＰのような化学パルプ、ＳＧＰ、ＲＧＰ、ＢＣＴＭＰ、ＣＴＭＰ等の機械パルプや、ＥＣＦパルプやＴＣＦパルプ等の塩素フリーパルプ、脱墨パルプのような古紙パルプ、あるいはケナフ、バガス、竹、藁、麻等のような非木材パルプ、ポリアミド繊維、ポリエステル繊維、ポリノジック繊維等の有機合成繊維、さらにはガラス繊維、セラミック繊維、カーボン繊維等の無機質繊維も使用出来る。
【００６２】
また、紙基材中には、必要に応じて填料が配合出来る。この場合の填料としては、特に限定するものではないが、一般に上質紙に用いられる各種の顔料、例えばカオリン、焼成カオリン、炭酸カルシウム、硫酸カルシウム、硫酸バリウム、二酸化チタン、タルク、酸化亜鉛、アルミナ、炭酸マグネシウム、酸化マグネシウム、シリカ、ホワイトカーボン、ベントナイト、ゼオライト、セリサイト、スメクタイト等の鉱物質顔料や、ポリスチレン系樹脂、尿素系樹脂、メラミン系樹脂、アクリル系樹脂、塩化ビニリデン系樹脂並びにそれらの密実型、微小中空型、貫通孔型の粒子である有機顔料が挙げられる。
【００６３】
なお、紙料中にはパルプ繊維や填料の他に、従来から使用されている各種のアニオン性、ノニオン性、カチオン性あるいは両性の歩留向上剤、濾水性向上剤、紙力増強剤、定着剤や内添サイズ剤等の各種抄紙用内添助剤を、必要に応じて適宜選択して使用することができる。さらに染料、蛍光増白剤、ｐＨ調整剤、消泡剤、ピッチコントロール剤、スライムコントロール剤等の抄紙用内添助剤も紙の用途に応じて適宜添加することができる。
【００６４】
紙基材の抄紙方法については特に限定するものではなく、例えば抄紙ｐＨが４．５付近である酸性抄紙法、また中性サイズ剤および／または炭酸カルシウム等のアルカリ性填料を主成分として含み、抄紙ｐＨ約６の弱酸性から抄紙ｐＨ約９の弱アルカリ性の中性抄紙法等、全ての抄紙方法を適用することができ、抄紙機も長網抄紙機、ツインワイヤー抄紙機、丸網抄紙機、傾斜ワイヤー抄紙機等の通常用いられている抄紙機を適宜使用することができる。
【００６５】
塗工紙に用いる塗工層中の顔料としては、一般的に使用される顔料が使用でき、例えば重質炭酸カルシウム、軽質炭酸カルシウム、カオリン、焼成カオリン、構造性カオリン、デラミカオリン、タルク、硫酸カルシウム、硫酸バリウム、二酸化チタン、サチンホワイト、酸化亜鉛、アルミナ、炭酸マグネシウム、酸化マグネシウム、シリカ、アルミノ珪酸マグネシウム、珪酸カルシウム、ホワイトカーボン、ベントナイト、ゼオライト、セリサイト、スメクタイト等の鉱物質顔料や、ポリスチレン系樹脂、スチレン−アクリル共重合体系樹脂、尿素系樹脂、メラミン系樹脂、アクリル系樹脂、塩化ビニリデン系樹脂、ベンゾグアナミン系樹脂等の密実型、中空型、あるいは貫通孔型樹脂等の有機顔料も用いることが可能であり、これらの中から１種あるいは２種以上が適宜選択して用いられる。
【００６６】
接着剤としては、水溶性および／または水分散性の高分子化合物を用いることができ、例えばカチオン性澱粉、両性澱粉、酸化澱粉、酵素変性澱粉、熱化学変性澱粉、エステル化澱粉、エーテル化澱粉等の澱粉類、カルボキシメチルセルロース、ヒドロキシエチルセルロース等のセルロース誘導体、ゼラチン、カゼイン、大豆蛋白、天然ゴム等の天然あるいは半合成高分子化合物、ポリビニルアルコール、イソプレン、ネオプレン、ポリブタジエン等のポリジエン類、ポリブテン、ポリイソブチレン、ポリプロピレン、ポリエチレン等のポリアルケン類、ビニルハライド、酢酸ビニル、スチレン、メタクリル酸、メタクリル酸エステル、メタクリルアミド、メチルビニルエーテル等のビニル系重合体や共重合体類、スチレン−ブタジエン系、メチルメタクリレート−ブタジエン系等の合成ゴムラテックス、ポリウレタン系樹脂、ポリエステル系樹脂、ポリアミド系樹脂、オレフィン−無水マレイン酸系樹脂、メラミン系樹脂等の合成高分子化合物等が例示でき、上記の中から目的に応じて１種以上を適宜選択して使用することができる。
【００６７】
本発明に用いる塗工液中には、前述した顔料や接着剤の他に各種助剤、例えば界面活性剤、ｐＨ調節剤、粘度調節剤、保水剤、柔軟剤、光沢付与剤、ワックス類、分散剤、流動変性剤、導電防止剤、安定化剤、帯電防止剤、架橋剤、サイズ剤、蛍光増白剤、着色剤、紫外線吸収剤、消泡剤、耐水化剤、可塑剤、防腐剤、香料等を、本発明の所望の効果を失わないように、必要に応じて適宜使用することも可能である。
【００６８】
本発明の塗工層の乾燥後塗工量は、特に限定されるものではないが、一般的に紙基材の片面に対し１〜４０ｇ／ｍ２、好ましくは２〜３０ｇ／ｍ２、さらに好ましくは５〜２５ｇ／ｍ２である。塗工量が１ｇ／ｍ２に満たない場合、塗工層を原紙上に形成する効果が現れにくく、他方４０ｇ／ｍ２を超えると高速塗工時において急激な乾燥が必要となり、結果バインダーマイグレーションによりモトリング等の印刷障害の発生や印刷強度の低下が発生する可能性が高くなるため、上記にて規定する範囲の塗工量が好ましい。
【００６９】
塗工層の乾燥方法については特に限定されず、エアードライヤー、シリンダードライヤー、ＩＲドライヤー等一般に使用される乾燥方法が使用できる。
【００７０】
塗工紙の水分としては、紙基材を用いた場合、紙基材上に塗工層を設けて通常の乾燥工程後、または必要に応じて表面処理工程等で平滑化処理された後、水分が３〜１０％、好ましくは４〜８％程度となるように調整して仕上げられる。
【００７１】
また平滑化処理する際は、通常のスーパーキャレンダ、グロスキャレンダ、ソフトキャレンダ等の平滑化処理装置を用いてオンマシンやオフマシンにて行われ、加圧装置の形態、加圧ニップの数、加温等も通常の平滑化処理装置に準じて適宜調節される。
［実施例］
【００７２】
以下に、実施例を挙げて本発明をより具体的に説明するが，本発明はそれらの範囲に限定されるものでない。なお、例中の「部」及び「％」は特に断わらない限り、「質量部（固型分）」及び「質量％」を示す。
【００７３】
・実施例１
ブレード刃厚０．５３５ｍｍ、刃角２０度、ブレード刃背面を水接触角１５０度となるようにフッ素樹脂を含有するコーティング剤にて表面加工したベベルタイプの同伴空気除去ブレードを、該ブレードと鉛直下方方向の角度を２３度として、塗工液ジェットがウェブに衝突する地点の３０ｍｍ上流側でウェブに接触するように配置した。
下記に示す顔料塗工紙用塗工液Ａ、Ｂを調整し、塗工原紙に塗工液Ａを乾燥塗工量１０ｇ／ｍ２となるように塗工・乾燥した後、引き続き塗工液Ｂを乾燥塗工量１０ｇ／ｍ２となるように塗工を行った。このときの塗工速度は１５００ｍ／ｍｉｎ、塗工液ジェットのウェブ衝突角は４８度、塗工液吐出量は３８５Ｌ／ｍｉｎ・ｍ、塗工液供給部スリット幅１．５ｍｍ、スリット先端からウェブまでの距離は２００ｍｍの条件にて塗工液を供給した。この際の、塗工液ジェットの吐出速度は、２５０ｍ／ｍｉｎであった。塗工時には転写面不良・バックフローの発生はなく、操業状態は良好であるのはもちろんのこと、塗工欠陥も検出されず、良好な結果が得られた。なお、塗工液Ａを塗工した後のＰＰＳ平滑度は３．２μｍであった。
【００７４】
＜塗工用原紙＞
ＬＢＫＰ（フリーネス（ＣＳＦ）＝４００ｍｌ)７０部、ＮＢＫＰ（フリーネス（ＣＳＦ）＝４１０ｍｌ)３０部のパルプスラリーに、軽質炭酸カルシウム（ＰＣ：白石カルシウム製）を灰分が８部となるように添加し、対パルプ１００部当り澱粉１．４部、アルケニル無水コハク酸０．１５部、および硫酸バンド０．５部を添加した紙料を用いて長網抄紙機で抄紙し、その抄紙工程中で澱粉の塗工量が乾燥重量で２ｇ／ｍ２となるようにサイズプレス装置で塗布・乾燥させ、マシンキャレンダで旭精工株式会社製全自動デジタル型王研式透気度・平滑度試験機ＥＹＯで測定される王研式平滑度を３５秒になるように平滑化処理して、坪量が９０ｇ／ｍ２の紙基材を得た。この紙基材のＰＰＳ平滑は、５．８μｍであった。
【００７５】
＜塗工液Ａの調整＞
ＦＭＴ−９７（成分；重質炭酸カルシウム、株式会社ファイマテック製）１００部に、固形分として澱粉（商品名；エースＣ、王子コーンスターチ社製）６部、ラテックス（商品名；ＤＬ９２１、ダウ・ケミカル日本株式会社製）８部を添加し、さらに水を加えて、固形分濃度が６４％の塗工液を調製した。塗工液Ａのせん断速度１．８×１０５（１／ｓ）におけるハイシェア粘度は、１５ｍＰａ・ｓであった。
【００７６】
＜塗工液Ｂの調整＞
ミラグロス９１（成分；カオリン、エンゲルハード社製）８０部に、水および分散剤（商品名；アロンＴ−５０、東亞合成社製）０．１部を加え、コーレス分散機にて分散し、固形分７２％のカオリン分散液を得た。この分散液に固形分７５％のＦＭＴ−９７（成分；重質炭酸カルシウム、株式会社ファイマテック製）を固形分として２０部を加え、顔料スラリーを調製した。この顔料スラリー固形分１００部に対して、澱粉（商品名；エースＣ、王子コーンスターチ社製）３部、ラテックス（商品名；Ｔ２５３５Ｄ、ＪＳＲ株式会社製）１０部を添加し、さらに水を加えて、固形分濃度が６２％の塗工液を調製した。塗工液Ｂのせん断速度１．８×１０５（１／ｓ）におけるハイシェア粘度は、１９ｍＰａ・ｓであった。
【００７７】
・比較例１
実施例にて使用した同伴空気除去ブレードを設置しなかった以外は、実施例と同様に塗工を行った。その結果、転写面不良による塗工欠陥が発生し、また得られた塗工紙の品質は、幅方向及び流れ方向の塗工量プロファイルが劣り、白紙品質、印刷品質とも実用レベルに達していなかった。
【００７８】
・比較例２
比較例１にて転写面不良が発生したため、塗工液ジェットの供給量を３８５Ｌ／ｍｉｎ・ｍから４４５Ｌ／ｍｉｎ・ｍとし、さらに塗工液ジェットのウェブへの衝突角度を４８度から５５度に変更した。その結果、転写面不良は解消したが、バックフローが発生したため、操業を継続することができず、塗工紙を連続的に得ることが不可能であった。
【図面の簡単な説明】
【００７９】
【図１】本発明に係る塗工装置の一例の断面図。
【図２】塗工液ジェット供給部１１とバッキングロール３１の関係のみを示す略拡大断面図。
【図３】同伴空気除去手段とバッキングロールのみを示す断面図。
【図４】流入空気阻害手段を配置する前の同伴空気除去部近辺の断面図。
【図５】流入空気阻害手段７１および７３を配置した場合の同伴空気除去部近辺の断面図。
【図６】本発明で使用される流入空気阻害手段の種々の例の断面図。
【符号の説明】
【００８０】
１１        塗工液ジェット供給部
１１ａ        塗工液ジェット供給部塗工液吐出スリット先端
１３        塗工液ジェット
１３ａ        ウェブ上に転移した塗工液膜
１３ｂ        ウェブ上で計量された塗工液膜
１５        計量ブレード
１７        計量ブレードホルダー
２１        同伴空気除去ブレード
２１ａ        同伴空気除去ブレード先端
２３        同伴空気除去ブレードホルダー
３１        バッキングロール
３３        ウェブ
Ａ          ウェブ・バッキングロール進行方向
Ｇ          鉛直下方方向
θ          同伴空気除去ブレードと鉛直下方が形成する角度
Ｔ          塗工液ジェット衝突点接線方向
Φ          塗工液ジェット衝突角度
ｄ          スリット状ノズル先端からウェブ上塗工液衝突点までの距離
【図１】
2007014850.tif 000003
【図２】
2007014850.tif 000004
【図３】
2007014850.tif 000005
【図４】
2007014850.tif 000006
【図５】
2007014850.tif 000007
【図６】
2007014850.tif 000008